(57)【要約】【課題】本発明は、設置される遊技機の態様に応じ、表示器が表示する情報を視認可能にすることのできる表示器用支持装置を提供する。【解決手段】本発明は、遊技機の上方位置に固定されるベース体と、情報を表示する表示器が取り付けられる支持体とを備え、ベース体は、上下方向又は上下方向を成分に含む方向に間隔をあけて設定された低位置及び高位置の少なくとも二か所で支持体を支持可能に構成され、支持体は、低位置と該低位置よりも高い位置にある高位置とに位置変更可能に構成される。【選択図】図５
2019083830.tif 000002
【特許請求の範囲】
【請求項１】
遊技機の上方位置に固定されるベース体と、情報を表示する表示器が取り付けられる支持体とを備え、ベース体は、上下方向又は上下方向を成分に含む方向に間隔をあけて設定された低位置及び高位置の少なくとも二か所で支持体を支持可能に構成され、支持体は、低位置と該低位置よりも高い位置にある高位置とに位置変更可能に構成されることを特徴とする表示器用支持装置。
【請求項２】
ベース体は、高位置において支持体を低位置での姿勢よりも前傾した姿勢で支持する請求項１に記載の表示器用支持装置。
【請求項３】
ベース体は、上下方向又は上下方向を成分に含む方向に間隔をあけて配置された複数の係止部を備え、支持体は、複数の係止部の中から選択された係止部に係止可能な被係止部を備え、複数の係止部には、被係止部を係止した状態で支持体を高位置で維持させる係止部及び支持体を低地位で維持させる係止部が含まれる請求項１又は２に記載の表示器用支持装置。
【請求項４】
支持体を低位置と高位置との間で移動させる送り機構をさらに備える請求項１又は２に記載の表示器用支持装置。
【発明の詳細な説明】
【技術分野】
【０００１】
本発明は、少なくとも遊技者に提供する情報を表示する表示器を、遊技機の上方位置に配置するための表示器用支持装置に関する。
【背景技術】
【０００２】
図３２に示す如く、パチンコ機やスロットマシン等の遊技機ＰＭの設置された遊技場には、遊技者Ｐに情報を提供するための表示器１が設置されている。表示器１は、情報を表示するためのモニタ１０を備え、該モニタ１０を遊技機ＰＭと対峙する遊技者Ｐ側に向けた状態で、遊技機ＰＭの上方位置に配置される。これにより、遊技中の遊技者Ｐがモニタ１０に表示される情報を認識可能となっている（例えば、特許文献１参照）。
【０００３】
ところで、ここ最近において、図３３及び図３４に示す如く、外装体ＭＥが大型化して前方（遊技者Ｐ側）に張り出した遊技機ＰＭや、遊技状態或いは演出状態に応じて装飾体ＭＤの姿勢や位置を変更させる遊技機ＰＭが提供されつつある。
【０００４】
これらの遊技機ＰＭが設置された場合、遊技者Ｐの視線Ｌ上に遊技機ＰＭの外装体ＭＥや装飾体ＭＤが位置し、遊技機ＰＭの外装体ＭＥや装飾体ＭＤが遊技者Ｐの視界を遮ってしまうことがある。そのため、遊技者Ｐが表示器１のモニタ１０に表示された情報を視認し難い或いは視認できない状態になることがある。
【先行技術文献】
【特許文献】
【０００５】
【特許文献１】特開２００５−２４５６８７号公報
【発明の概要】
【発明が解決しようとする課題】
【０００６】
そこで、本発明は、設置される遊技機の態様に応じ、表示器に表示される情報を視認可能にすることのできる表示器用支持装置を提供することを課題とする。
【課題を解決するための手段】
【０００７】
本発明は、遊技機の上方位置に固定されるベース体と、情報を表示する表示器が取り付けられる支持体とを備え、ベース体は、上下方向又は上下方向を成分に含む方向に間隔をあけて設定された低位置及び高位置の少なくとも二か所で支持体を支持可能に構成され、支持体は、低位置と該低位置よりも高い位置にある高位置とに位置変更可能に構成されることを特徴とする。
【０００８】
上記構成によれば、ベース体は、上下方向又は上下方向を成分に含む方向に間隔をあけて設定された低位置及び高位置の少なくとも二か所で支持体を支持可能に構成され、支持体は、低位置と該低位置よりも高い位置にある高位置とに位置変更可能に構成されるため、支持体を低位置と高位置とに位置変更することで、支持体に取り付けられた表示器も低位置又は高位置に配置される。これにより、表示器は、遊技者等が情報を認識できる位置に配置される。
【０００９】
本発明の一態様として、ベース体は、高位置において支持体を低位置での姿勢よりも前傾した姿勢で支持することが好ましい。
【００１０】
このようにすれば、高位置に配置された表示器が遊技者側に向くため、周囲の光の影響（表示器の表示面で反射する光の影響）を抑えることができ、遊技者が表示器の情報を確実に把握することができる。
【００１１】
本発明の他態様として、ベース体は、上下方向又は上下方向を成分に含む方向に間隔をあけて配置された複数の係止部を備え、支持体は、複数の係止部の中から選択された係止部に係止可能な被係止部を備え、複数の係止部には、被係止部を係止した状態で支持体を高位置で維持させる係止部及び支持体を低地位で維持させる係止部が含まれることが好ましい。
【００１２】
このようにすれば、被係止部を選択した係止部に係止させるだけで、少なくとも支持体（表示器）が低位置或いは高位置に配置される。
【００１３】
本発明の別の態様として、支持体を低位置と高位置との間で移動させる送り機構をさらに備えてもよい。
【００１４】
このようにすれば、支持体が低位置と高位置との間で移動するため、低位置及び高位置だけでなく、低位置と高位置との間の任意の中間位置にも配置することができる。
【発明の効果】
【００１５】
以上のように、本発明によれば、設置される遊技機の態様に応じ、表示器に表示される情報を視認可能にすることができるという優れた効果を奏し得る。
【図面の簡単な説明】
【００１６】
【図１】図１は、表示器の正面図である。
【図２】図２は、表示器の側面図である。
【図３】図３は、第一実施形態に係る表示器用支持装置の正面図である。
【図４】図４は、第一実施形態に係る表示器用支持装置の側面図である。
【図５】図５は、第一実施形態に係る表示器用支持装置の概略使用状態図であって、表示器を低位置で支持した状態の図である。
【図６】図６は、第一実施形態に係る表示器用支持装置の概略使用状態図であって、表示器を中間位置で支持した状態の図である。
【図７】図７は、第一実施形態に係る表示器用支持装置の概略使用状態図であって、表示器を高位置で支持した状態の図である。
【図８】図８は、第一実施形態に係る表示器用支持装置の使用状態図であって、表示器を低位置で支持した状態の図である。
【図９】図９は、第一実施形態に係る表示器用支持装置の使用状態図であって、表示器を高位置で支持した状態の図である。
【図１０】図１０は、第一実施形態に係る表示器用支持装置の使用状態図であって、表示器を高位置で支持した状態の図である。
【図１１】図１１は、第二実施形態に係る表示器用支持装置の正面図である。
【図１２】図１２は、図１１のＸＩＩ−ＸＩＩ断面図である。
【図１３】図１３は、第二実施形態に係る表示器用支持装置の使用状態図であって、表示器を低位置で支持した状態の図である。
【図１４】図１４は、第二実施形態に係る表示器用支持装置の使用状態図であって、表示器を高位置で支持した状態の図である。
【図１５】図１５は、第二実施形態に係る表示器用支持装置の使用状態図であって、表示器を高位置で支持した状態の図である。
【図１６】図１６は、他実施形態に係る表示器用支持装置の正面図である。
【図１７】図１７は、図１６に示す表示器用支持装置の側面図である。
【図１８】図１８は、図１６に示す表示器用支持装置の概略使用状態図であって、表示器を低位置で支持した状態の図である。
【図１９】図１９は、図１６に示す表示器用支持装置の概略使用状態図であって、表示器を高位置で支持した状態の図である。
【図２０】図２０は、図１６に示す表示器用支持装置の概略使用状態図であって、表示器を中間位置で支持した状態の図である。
【図２１】図２１は、別の実施形態に係る表示器用支持装置の正面図である。
【図２２】図２２は、図２１に示す表示器用支持装置の側面図である。
【図２３】図２３は、図２１に示す表示器用支持装置の概略使用状態図であって、表示器を低位置で支持した状態の図である。
【図２４】図２４は、図２１に示す表示器用支持装置の概略使用状態図であって、表示器を高位置で支持した状態の図である。
【図２５】図２５は、さらに別の実施形態に係る表示器用支持装置の正面図である。
【図２６】図２６は、図２５のＸＸＶＩ−ＸＸＶＩ断面図である。
【図２７】図２７は、図２５のＸＸＶＩＩ−ＸＸＶＩＩ断面図である。
【図２８】図２８は、図２５に示す表示器用支持装置の使用状態における断面図であって、表示器を低位置で支持した状態の図である。
【図２９】図２９は、図２５に示す表示器用支持装置の使用状態における断面図であって、表示器を高位置で支持した状態の図である。
【図３０】図３０は、さらに別の実施形態に係る表示器用支持装置の概略使用状態図である。
【図３１】図３１は、さらに別の実施形態に係る表示器用支持装置の概略使用状態図である。
【図３２】図３２は、従来の表示器の配置を説明するための図である。
【図３３】図３３は、従来の表示器の配置を説明するための図である。
【図３４】図３４は、従来の表示器の配置を説明するための図である。
【発明を実施するための形態】
【００１７】
以下、本発明の第一実施形態に係る表示器用支持装置について、添付図面を参照しつつ説明する。まず、表示器用支持装置の説明に先立ち、該表示器用支持装置に支持される表示器について概略説明する。
【００１８】
図１及び図２に示す如く、表示器１は、遊技者やホールスタッフに向けて情報を表示するための表示面１００を有するモニタ１０を備える。さらに、表示器１は、ホールスタッフを呼ぶための呼出スイッチ１１（図１参照）や、モニタ１０に表示させる情報（データ）の内容を切り替えるためのデータ切替スイッチ１２を備える。ここでの表示器１は、ホールスタッフを呼び出した状態である旨を点灯表示する点灯表示部１３を備える。
【００１９】
表示器１は、遊技機又は遊技場（複数台の遊技機）の管理を行うホールコンピュータ（図示しない）と情報通信可能に接続され、遊技機又はホールコンピュータから必要な情報を入手する。これに伴い、表示器１のモニタ１０に表示される情報には、遊技機の遊技状態や遊技機の稼働率等の情報が含まれる。
【００２０】
また、表示器１は、遊技機やホールコンピュータ以外に、ホールスタッフの所持する端末等と通信可能にもなっている。これに伴い、表示器１のモニタ１０に表示される情報には、遊技場におけるサービスに関する情報（例えば、ドリンクのメニュー等に関する情報）も含まれる。
【００２１】
モニタ１０には、液晶ディスプレイや有機ＥＬディスプレイ等が採用される。これにより、モニタ１０は、遊技機に関する情報やサービスに関する情報を表示面１００上に静止画或いは動画として表示する。これに対し、点灯表示部１３は、点灯や点滅の組み合わせによって点灯表示を行う。この種の表示器１は、上述の如く、遊技機に関する情報を入手するため、遊技機の遊技状態に応じた演出を点灯表示するようにもなっている。
【００２２】
モニタ１０（表示面１００）、呼出スイッチ１１、データ切替スイッチ１２、及び点灯表示部１３は、表示器１の前面に配置される。これに伴い、表示器１の背面には、遊技機の上方位置に固定するための固定部１４が設けられている（図２参照）。
【００２３】
表示器１は、以上の通りであり、本実施形態に係る表示器用支持装置は、図３及び図４に示す如く、遊技機の上方位置に固定されるベース体３と、表示器１が取り付けられる支持体４とを備える。
【００２４】
ベース体３は、上下方向又は上下方向を成分に含む方向に間隔をあけて設定された低位置Ｐ１及び高位置Ｐ２の少なくとも二か所で支持体４を支持可能に構成される。本実施形態において、ベース体３は、上下方向を成分に含む方向に間隔をあけて設定された低位置Ｐ１及び高位置Ｐ２の二か所に加え、低位置Ｐ１と高位置Ｐ２との間の中間位置Ｐ３においても支持体４を支持可能に構成される。また、本実施形態に係るベース体３は、高位置Ｐ２において支持体４を低位置Ｐ１での姿勢よりも前傾した姿勢で支持可能に構成される。
【００２５】
これを前提に、ベース体３は、上下方向を成分に含む方向（斜め上方）に間隔をあけて配置された複数の係止部３０，３１，３２を備える。
【００２６】
より具体的に説明する。ベース体３は、遊技機の上方位置にある取付対象（例えば、幕板）に直接的又は間接的に固定される取付部３３と、取付部３３から延出した台座部３４とを備える。
【００２７】
取付部３３は、取付対象側に向けられる平面状の取付面Ｓ１を含む（図４参照）。本実施形態において、取付部３３は、板状に形成され、厚み方向にある一方の面が取付面Ｓ１とされる。
【００２８】
台座部３４は、第一端と該第一端の反対側の第二端とを有する第一台座部３４０であって、第一端が取付部３３に連結された第一台座部３４０と、第一端と該第一端の反対側の第二端とを有する第二台座部３４１であって、第一端が第一台座部３４０の第二端に連結された第二台座部３４１とを含む。
【００２９】
本実施形態において、ベース体３は、取付対象に固定された状態において、取付部３３を第一台座部３４０及び第二台座部３４１よりも下側に位置させる。これに伴い、ベース体３は、取付対象に固定された状態において、第二台座部３４１を第一台座部３４０よりも高い位置させる。
【００３０】
これを前提に、本実施形態に係るベース体３において、第一台座部３４０及び第二台座部３４１のそれぞれが支持体４を支持可能に構成される。すなわち、ベース体３には、支持体４を支持する位置として、第一台座部３４０の存在する範囲内に低位置Ｐ１が設定されるとともに、第二台座部３４１の存在する範囲内に高位置Ｐ２が設定されている。また、ベース体３には、支持体４を支持する位置として、低位置Ｐ１及び高位置Ｐ２に加え、低位置Ｐ１と高位置Ｐ２との間にある中間位置Ｐ３が設定されている。本実施形態において、中間位置Ｐ３は、第一台座部３４０の存在する範囲内に設定される。
【００３１】
これに伴い、本実施形態においてベース体３は、第一台座部３４０及び第二台座部３４１のそれぞれに支持体４を係止する係止部３０，３１，３２を有する。すなわち、ベース体３は、第一台座部３４０に低位置Ｐ１及び中間位置Ｐ３に対応する係止部３０，３２を有するとともに、第二台座部３４１に高位置Ｐ２に対応する係止部３１を有する。
【００３２】
より具体的に説明する。第一台座部３４０及び第二台座部３４１のそれぞれは、図４に示す如く、取付面Ｓ１に沿った仮想面（図示しない）に対して傾斜する方向に延びる。
【００３３】
本実施形態において、第一台座部３４０は、厚みを有する板状に形成され、厚み方向にある一方の面の端縁が取付部３３の取付面Ｓ１の端縁に接続されている。
【００３４】
本実施形態において、第一台座部３４０は、取付部３３の取付面Ｓ１に沿った仮想面に対して所定角度で傾斜している。
【００３５】
本実施形態において、第一台座部３４０は、支持体４を低位置Ｐ１で支持するための係止部（以下、低位置用係止部という）３０を一対（二つ）備える。また、第一台座部３４０は、支持体４を中間位置Ｐ３で支持するための係止部（以下、中間位置用係止部という）３２を一対（二つ）備える。
【００３６】
低位置用係止部３０及び中間位置用係止部３２のそれぞれは、溝状に形成され、第一台座部３４０の他方の面で開放し且つ第一台座部３４０の延出する方向（以下、この方向を第一延出方向という）に対して直交する方向（以下、この方向を幅方向という）に延びている（図３参照）。
【００３７】
低位置用係止部３０及び中間位置用係止部３２のそれぞれは、幅方向から見て鉤状に形成される。すなわち、低位置用係止部３０及び中間位置用係止部３２のそれぞれは、第一台座部３４０の他方の面で開放して厚み方向に掘り下げられた第一空洞部３００，３２０と、第一空洞部３００，３２０に連続し且つ第一延出方向における第一台座部３４０の第一端側に掘り下げられた第二空洞部３０１，３２１とを含む。第一空洞部３００，３２０は、第一台座部３４０の他方の面上で幅方向に延びた第一開放部３０２，３２２を形成し、第一台座部３４０の幅方向の両端面上に第二空洞部３０１，３２１とともにＬ字状の第二開放部３０３，３２３を形成する。
【００３８】
二つの低位置用係止部３０は、第一延出方向に間隔をあけて配置されている。また、二つの中間位置用係止部３２は、第一延出方向に間隔をあけて配置されている。第一延出方向における二つの低位置用係止部３０の間隔と二つの中間位置用係止部３２の間隔とは、同一又は略同一に設定される。
【００３９】
本実施形態において、二つの中間位置用係止部３２のうちの一方の中間位置用係止部３２は、二つの低位置用係止部３０の間に配置される。これに伴い、二つの中間位置用係止部３２のうちの他方の中間位置用係止部３２は、二つの低位置用係止部３０よりも第一台座部３４０の第二端側に位置している。
【００４０】
本実施形態において、第二台座部３４１は、厚みを有する板状に形成され、厚み方向にある一方の面の端縁が第一台座部３４０の一方の面の端縁に接続され、厚み方向にある他方の端縁が第一台座部３４０の他方の面の端縁に接続されている。
【００４１】
第二台座部３４１は、取付面Ｓ１に沿った仮想面（図示しない）に対して所定角度で傾斜している。本実施形態において、第二台座部３４１の取付面Ｓ１に沿った仮想面に対する角度は、第一台座部３４０の取付面Ｓ１に沿った仮想面に対する角度よりも大きな角度に設定されている。これにより、第二台座部３４１は、第一台座部３４０よりも前傾している。
【００４２】
本実施形態において、第二台座部３４１は、支持体４を高位置Ｐ２で支持するための係止部（以下、高位置用係止部という）３１を一対（二つ）備える。
【００４３】
高位置用係止部３１は、溝状に形成され、第二台座部３４１の他方の面で開放し且つ幅方向に延びている（図１参照）。
【００４４】
高位置用係止部３１は、幅方向から見て鉤状に形成される。すなわち、高位置用係止部３１は、第二台座部３４１の他方の面で開放して厚み方向に掘り下げられた第一空洞部３１０と、第一空洞部３１０に連続し且つ第二台座部３４１の延びる方向（以下、第二延出方向という）における第二台座部３４１の第一端側に掘り下げられた第二空洞部３１１とを含む。第二空洞部３１１は、第二台座部３４１の他方の面上で幅方向に延びた第一開放部３１２を形成し、第二台座部３４１の幅方向の両端面上に第二空洞部３１１とともにＬ字状の第二開放部３１３を形成する。
【００４５】
すなわち、高位置用係止部３１は、低位置用係止部３０と同形且つ同サイズに形成される。本実施形態において、高位置用係止部３１は、中間位置用係止部３２に対しても同形且つ同サイズに形成される。
【００４６】
二つの高位置用係止部３１は、第二延出方向に間隔をあけて配置されている。第一延出方向における二つの低位置用係止部３０の間隔と、第二延出方向における二つの高位置用係止部３１の間隔とは、同一又は略同一に設定される。
【００４７】
このように、本実施形態に係るベース体３の台座部３４は、傾斜角度を異にする第一台座部３４０及び第二台座部３４１を含むため、鉛直方向に延びる仮想線に対する一対の高位置用係止部３１を結ぶ仮想線の角度が、鉛直方向に延びる仮想線に対する一対の低位置用係止部３０を結ぶ仮想線の角度よりも大きくなるように、一対の高位置用係止部３１が配置される。これにより、高位置Ｐ２に配置された支持体４は、低位置Ｐ１に配置された支持体４よりも前傾した姿勢になる。
【００４８】
支持体４は、ベース体３に設定された低位置Ｐ１と該低位置Ｐ１よりも高い位置にある高位置Ｐ２とに位置変更可能に構成される。本実施形態において、支持体４は、低位置Ｐ１と高位置Ｐ２との間の中間位置Ｐ３にも位置変更可能に構成される。
【００４９】
これに伴い、支持体４は、複数の係止部３０，３１，３２の中から選択された係止部３０，３１，３２に係止可能な被係止部４０を備える。
【００５０】
具体的には、支持体４は、表示器１が取り付けられる表示器取付部４１と、表示器取付部４１に対して直接的又は間接的に連結された被係止部４０とを備える。
【００５１】
表示器取付部４１は、表示器１の固定部１４が重ね合わされる固定面Ｓ２を含む。これに伴い、表示器取付部４１の固定面Ｓ２とは反対側の面は、ベース体３と対向する面となる。
【００５２】
本実施形態に係る支持体４において、被係止部４０は表示器取付部４１に対して間接的に連結される。具体的には、支持体４は、表示器取付部４１から延出した板状のフレーム部４２であって、厚み方向に第一面と第一面の反対側の第二面とを有するフレーム部４２と、被係止部４０が連結される突片部４３とを備える。フレーム部４２の第一面は、表示器１の背面と対向する面となる。これに伴い、突片部４３は、フレーム部４２の第二面から突出している。本実施形態において、支持体４は、幅方向に間隔をあけて配置された少なくとも一対の突片部４３を備える。一対の突片部４３の間隔は、ベース体３の幅方向の外寸よりも広く設定される。本実施形態において、支持体４は、一対の突片部４３を二組備える。この二組の突片部４３は、フレーム部４２の延出する方向に間隔をあけて配置される。
【００５３】
被係止部４０は、低位置用係止部３０、中間位置用係止部３２、及び高位置用係止部３１のそれぞれにおいて、第一空洞部３００，３１０，３２０の形成した第一開放部３０２，３１２，３２２から挿入可能で且つ第一空洞部３００，３１０，３２０を経由して第二空洞部３０１，３１１，３２１に到達可能に形成される。本実施形態において、低位置用係止部３０、中間位置用係止部３２、及び高位置用係止部３１のそれぞれが溝状に形成されるに伴い、被係止部４０は、棒状に形成される。該棒状の被係止部４０の両端は、一対の突片部４３に連結される。すなわち、被係止部４０は、一対の突片部４３によって両端支持される。
【００５４】
本実施形態において、低位置用係止部３０、中間位置用係止部３２、及び高位置用係止部３１のそれぞれが二つずつ設けられるに伴い、支持体４は、間隔をあけて配置された二つの被係止部４０を備える。二つの被係止部４０は、二つの低位置用係止部３０の間隔、二つの中間位置用係止部３２の間隔、及び二つの高位置用係止部３１の間隔のそれぞれと同一又は略同一に設定される。
【００５５】
本実施形態に係る表示器用支持装置２は、以上の通りであり、図５乃至図７に示す如く、ベース体３の取付部３３が遊技機の上方位置に配置された取付対象（例えば、幕板）Ｔに対して直接的又は間接的に取り付けられる。なお、本実施形態においては、取付対象Ｔに固定された取付金具（採番しない）に対してベース体３の取付部３３が固定されている。また、支持体４の表示器取付部４１（固定面Ｓ２）に対して表示器１の取付部３３が固定される。
【００５６】
そして、支持体４の被係止部４０がベース体３の係止部３０，３１，３２に係止されると、表示器１は、表示面１００（モニタ１０）を遊技者側に向けて配置される。本実施形態において、例えば、遊技場に設置される遊技機が従来通りのもの（外装体が小型で装飾体が動作しないもの）である場合、図５及び図８に示す如く、低位置用係止部３０に被係止部４０を係止させることで、支持体４が低位置Ｐ１で支持される。
【００５７】
本実施形態において、二つの低位置用係止部３０のそれぞれに二つの被係止部４０を係止させることで、支持体４及びこれに固定された表示器１は、低位置Ｐ１において安定した状態で支持される。この状態において、図８に示す如く、遊技者Ｐの視線Ｌ上には、遊技機ＰＭ（外装体ＭＥや装飾体ＭＤ）が存在せず、遊技者Ｐは、表示器１の表示面１００（モニタ１０）に表示された情報を確認することができる。なお、支持体４が低位置Ｐ１で支持された状態で、遊技機ＰＭの外装体ＭＥ或いは装飾体ＭＤの一部が遊技者Ｐの視界を遮るような場合には、図６に示す如く、中間位置用係止部３２に被係止部４０を係止させることで、支持体４が低位置Ｐ１よりも高い位置（中間位置Ｐ３）で支持させればよい。
【００５８】
そして、遊技場に設置される遊技機ＰＭが大型化した外装体ＭＥを有するものや、装飾体ＭＤが動作するものである場合、図７、図９及び図１０に示す如く、高位置用係止部３１に被係止部４０を係止させることで、支持体４が高位置Ｐ２で支持される。
【００５９】
この状態において、図９及び図１０に示す如く、遊技者Ｐの視線Ｌ上には、遊技機ＰＭ（外装体ＭＥや装飾体ＭＤ）が存在せず、遊技者Ｐは、表示器１の表示面１００（モニタ１０）に表示された情報を確認することができる。
【００６０】
特に、本実施形態において、ベース体３は、高位置Ｐ２において支持体４を低位置Ｐ１での姿勢よりも前傾した姿勢で支持する。これにより、支持体４に取り付けた表示器１の表示面１００（モニタ１０）に対する遊技者Ｐの視線Ｌの角度が９０°に近づくため、表示器１（表示面１００）を直視することができ、周囲の光の影響を抑えた状態で情報を把握することができる。
【００６１】
以上のように、本実施形態に係る表示器用支持装置２は、遊技機ＰＭの上方位置に固定されるベース体３と、情報を表示する表示器１が取り付けられる支持体４とを備え、ベース体３は、上下方向を成分に含む方向に間隔をあけて設定された低位置Ｐ１及び高位置Ｐ２の少なくとも二か所で支持体４を支持可能に構成され、支持体４は、低位置Ｐ１と該低位置Ｐ１よりも高い位置にある高位置Ｐ２とに位置変更可能に構成される。
【００６２】
上記構成によれば、ベース体３は、上下方向を成分に含む方向に間隔をあけて設定された低位置Ｐ１及び高位置Ｐ２の少なくとも二か所で支持体４を支持可能に構成され、支持体４は、低位置Ｐ１と該低位置Ｐ１よりも高い位置にある高位置Ｐ２とに位置変更可能に構成されるため、支持体４に取り付けられた表示器１を、遊技機ＰＭに対峙する遊技者Ｐの視界に入る位置に配置することができる。
【００６３】
すなわち、支持体４を低位置Ｐ１と高位置Ｐ２とに位置変更することで、支持体４に取り付けられた表示器１も低位置Ｐ１又は高位置Ｐ２に配置される。これにより、表示器１は、遊技者Ｐ等が情報を認識できる位置に配置される。
【００６４】
本実施形態において、ベース体３は、高位置Ｐ２において支持体４を低位置Ｐ１での姿勢よりも前傾した姿勢で支持するように構成される。
【００６５】
このようにすれば、高位置Ｐ２に配置された表示器１が遊技者Ｐ側に向くため、周囲の光の影響（表示器１の表示面１００で反射する光の影響）を抑えることができ、遊技者Ｐ等が表示器１の情報を確実に把握することができる。
【００６６】
本実施形態において、ベース体３は、上下方向を成分に含む方向に間隔をあけて配置された複数の係止部３０，３１，３２を備え、支持体４は、複数の係止部３０，３１，３２の中から選択された係止部３０，３１，３２に係止可能な被係止部４０を備え、複数の係止部３０，３１，３２には、被係止部４０を係止した状態で支持体４を高位置Ｐ２で維持させる係止部３０，３１，３２及び支持体４を低地位で維持させる係止部３０，３１，３２が含まれる。
【００６７】
このようにすれば、被係止部４０を選択した係止部３０，３１，３２に係止させるだけで、少なくとも支持体４（表示器１）が低位置Ｐ１或いは高位置Ｐ２に配置される。
【００６８】
次に、本発明の第二実施形態に係る表示器用支持装置について説明する。なお、以下の説明において、第一実施形態で説明した構成と同一、或いは、第一実施形態で説明した構成に相当する構成については、同一名称及び同一符号を付すこととする。また、表示器１は、第一実施形態と同一のものとし、ここでの説明は割愛する。
【００６９】
図１１に示す如く、本実施形態に係る表示器用支持装置２は、遊技機ＰＭの上方位置に固定されるベース体３と、情報を表示する表示器１が取り付けられる支持体４とを備える。
【００７０】
本実施形態に係る表示器用支持装置２において、第一実施形態と同様に、ベース体３は、上下方向又は上下方向を成分に含む方向に間隔をあけて設定された低位置Ｐ１及び高位置Ｐ２の少なくとも二か所で支持体４を支持可能に構成される。また、支持体４は、低位置Ｐ１と該低位置Ｐ１よりも高い位置にある高位置Ｐ２とに位置変更可能に構成される。
【００７１】
本実施形態において、表示器用支持装置２は、ベース体３及び支持体４に加え、支持体４を低位置Ｐ１と高位置Ｐ２との間で移動させる送り機構５をさらに備えている。また、表示器用支持装置２は、低位置Ｐ１と高位置Ｐ２との間で移動する支持体４を案内する案内手段６を備える。
【００７２】
本実施形態において、ベース体３は、図１２に示す如く、遊技機ＰＭの上方位置にある取付対象（一般的には、幕板）に直接的又は間接的に固定される取付部３３と、取付部３３に連結された台座部３４とを備える。
【００７３】
取付部３３は、取付対象側に向けられる平面状の取付面Ｓ１を含む。台座部３４は、厚みを有する板状に形成され、厚み方向に第一面と該第一面の反対側の第二面とを有する。台座部３４は、第一面を遊技者側に向けて配置される。これに伴い、台座部３４の第二面に取付部３３が固定される。
【００７４】
支持体４は、表示器１が取り付けられる表示器取付部４１であって、表示器１の固定部１４が直接的又は間接的に重ね合わされる固定面Ｓ２を含む表示器取付部４１を備える。具体的には、支持体４は、厚みを有する板状のフレーム部４２であって、厚み方向に第一面と該第一面の反対側の第二面とを有するフレーム部４２と、フレーム部４２の第一面に連結された表示器取付部４１とを備える。本実施形態において、支持体４は、フレーム部４２の第二面を台座部３４の第一面と対向させて配置される。これに伴い、フレーム部４２の第一面に連結された表示器取付部４１の固定面Ｓ２は、台座部３４側とは反対側（遊技者側）に向くようになっている。
【００７５】
本実施形態において、送り機構５は、ねじ軸５００と、複数のボール５０１を介してねじ軸５００に螺合するナット５０２とを含むボールねじ５０を備える。本実施形態において、送り機構５は、ねじ軸５００を回転駆動するための駆動源５１をさらに備える。
【００７６】
ボールねじ５０のねじ軸５００は、台座部３４に対して回転自在に支持される。本実施形態において、ねじ軸５００は、台座部３４の第一面に固定された軸受５２に軸支される。ナット５０２は、支持体４に連結される。本実施形態において、ナット５０２は、ねじ軸５００の延びる方向と直交する方向に延びる軸線回りで回転自在に支持体４に連結される。すなわち、支持体４とナット５０２とは、ねじ軸５００の延びる方向と直交する方向に延びるピン５３を介して回転自在に連結される。
【００７７】
本実施形態において、駆動源５１には、回転制御可能なモータが採用される。モータ５１は、ねじ軸５００に対して同心で連結される出力軸５１０を備え、台座部３４に固定されている。駆動源５１は、遊技者或いはホールスタッフが支持体４を位置変更させることを希望するときにのみ駆動するようになっている。すなわち、駆動源５１は、図示しないスイッチの操作により、ねじ軸５００を正逆転させる。
【００７８】
案内手段６は、台座部３４に固定されたガイドレール６０と、ガイドレール６０に案内される被案内体６１であって、支持体４に固定された被案内体６１とを含む。
【００７９】
本実施形態において、案内手段６は、図１１に示す如く、ねじ軸５００の延びる方向と直交する方向（幅方向に相当）に間隔をあけて配置された一対のガイドレール６０と、一対のガイドレール６０のそれぞれに案内される一対の被案内体６１とを含む。
【００８０】
一対のガイドレール６０は、ねじ軸５００を挟んで配置される。ガイドレール６０は、台座部３４の第一面に固定される。ガイドレール６０は、ねじ軸５００の延びる方向と同方向に延びる。ガイドレール６０は、ねじ軸５００の延びる方向と直交する方向に開放した溝６００を有する。溝６００は、台座部３４と支持体４とが並ぶ方向と直交する方向に開放している。
【００８１】
本実施形態において、ガイドレール６０は、図１２に示す如く、ねじ軸５００の延びる方向に真っ直ぐに延びる直線部６００ａであって、自身の延びる方向に第一端と該第一端の反対側の第二端とを有する直線部６００ａと、直線部６００ａに接続された第一端と該第一端の反対側の第二端とを有する円弧部６００ｂであって、第一端から第二端に向かうにつれて台座部３４から離間するように湾曲した円弧部６００ｂとを含む。これに伴い、溝６００は直線部６００ａの第二端から円弧部６００ｂの第二端に至るまで形成される。
【００８２】
被案内体６１は、ガイドレール６０の溝６００内に配置される。本実施形態において、被案内体６１には、カムフォロアが採用される。被案内体（カムフォロア）６１は、ねじ軸５００の延びる方向と直交する方向に延びる軸線回りで回転自在に設けられる。すなわち、被案内体６１は、ねじ軸５００の延びる方向と直交する方向に延びる軸線回りで回転自在になるように、支持体４に連結されている。
【００８３】
本実施形態に係る表示器用支持装置２は、以上の通りであり、図１３乃至図１５に示す如く、ベース体３の取付部３３が遊技機ＰＭの上方位置に配置された取付対象（例えば、幕板）Ｔに対して直接的又は間接的に取り付けられ、支持体４の表示器取付部４１（固定面Ｓ２）に対して表示器１の固定部１４が直接的又は間接的に固定される。なお、本実施形態においては、ベース体３の取付部３３は、取付対象Ｔに固定された取付金具（採番しない）に固定され、表示器１は、固定部１４と表示器取付部４１の固定面Ｓ２との間にスペーサ（採番しない）を挟んだ状態で固定されている。
【００８４】
この状態で、表示器１は、表示面１００（モニタ１０）を遊技者Ｐ側に向けて配置される。本実施形態において、例えば、遊技場に設置される遊技機ＰＭが従来通りのもの（外装体が小型で装飾体が動作しないもの）である場合、スイッチ操作によって駆動源５１を駆動し（出力軸５１０を正転或いは逆転させ）、ボールねじ５０のねじ軸５００を回転させることで、ナット５０２をねじ軸５００の軸線方向に移動させ、ナット５０２を低位置Ｐ１に対応する位置に配置する。これにより、支持体４が低位置Ｐ１で支持された状態になる。
【００８５】
この状態において、図１３に示す如く、遊技者Ｐの視線Ｌ上には、遊技機ＰＭ（外装体ＭＥや装飾体ＭＤ）が存在せず、遊技者Ｐは、表示器１の表示面１００（モニタ１０）に表示された情報を確認することができる。なお、支持体４が低位置Ｐ１で支持された状態で、遊技機ＰＭの外装体ＭＥ或いは装飾体ＭＤの一部が遊技者Ｐの視界を遮るような場合には、スイッチ操作によって駆動源５１を駆動し（出力軸５１０を正転或いは逆転させ）、ナット５０２を低位置Ｐ１に対応する位置よりも高い位置に配置することで、支持体４を低位置Ｐ１よりも高い位置（中間位置Ｐ３）で支持させればよい。
【００８６】
そして、遊技場に設置される遊技機ＰＭが大型化した外装体ＭＥを有するものや、装飾体ＭＤが動作するものである場合、スイッチ操作によって駆動源５１を駆動し（出力軸５１０を正転或いは逆転させ）、ボールねじ５０のねじ軸５００を回転させることで、ナット５０２を高位置Ｐ２に対応する位置に配置すると、図１４及び図１５に示す如く、支持体４が高位置Ｐ２で支持される。
【００８７】
この状態において、遊技者Ｐの視線Ｌ上には、遊技機ＰＭ（外装体ＭＥや装飾体ＭＤ）が存在せず、遊技者Ｐは、表示器１の表示面１００（モニタ１０）に表示された情報を確認することができる。
【００８８】
特に、本実施形態では、被案内体６１がガイドレール６０の円弧部６００ｂの溝６００に沿って移動するため、支持体４（ナット５０２）が高位置Ｐ２に向かうにつれて前傾姿勢になる。これにより、ベース体３は、高位置Ｐ２において支持体４を低位置Ｐ１での姿勢よりも前傾した姿勢で支持するため、支持体４に取り付けた表示器１の表示面１００（モニタ１０）に対する遊技者Ｐの視線Ｌの角度が９０°に近づくため、表示面１００を直視することができ、周囲の光の影響を抑えた状態で情報を把握することができる。
【００８９】
以上のように、本実施形態に係る表示器用支持装置２は、遊技機ＰＭの上方位置に固定されるベース体３と、情報を表示する表示器１が取り付けられる支持体４とを備え、ベース体３は、上下方向を成分に含む方向に間隔をあけて設定された低位置Ｐ１及び高位置Ｐ２の少なくとも二か所で支持体４を支持可能に構成され、支持体４は、低位置Ｐ１と該低位置Ｐ１よりも高い位置にある高位置Ｐ２とに位置変更可能に構成される。
【００９０】
上記構成によれば、ベース体３は、上下方向を成分に含む方向に間隔をあけて設定された低位置Ｐ１及び高位置Ｐ２の少なくとも二か所で支持体４を支持可能に構成され、支持体４は、低位置Ｐ１と該低位置Ｐ１よりも高い位置にある高位置Ｐ２とに位置変更可能に構成されるため、支持体４に取り付けられた表示器１を、遊技機ＰＭに対峙する遊技者Ｐの視界に入る位置に配置することができる。
【００９１】
すなわち、支持体４を低位置Ｐ１と高位置Ｐ２とに位置変更することで、支持体４に取り付けられた表示器１も低位置Ｐ１又は高位置Ｐ２に配置される。これにより、表示器１は、遊技者Ｐ等が情報を認識できる位置に配置される。
【００９２】
本実施形態において、ベース体３は、高位置Ｐ２において支持体４を低位置Ｐ１での姿勢よりも前傾した姿勢で支持するように構成される。
【００９３】
このようにすれば、高位置Ｐ２に配置された表示器１が遊技者Ｐ側に向くため、周囲の光の影響（表示器１の表示面１００で反射する光の影響）を抑えることができ、遊技者Ｐ等が表示器１の情報をより確実に把握することができる。
【００９４】
本実施形態において、表示器用支持装置２は、支持体４を低位置Ｐ１と高位置Ｐ２との間で移動させる送り機構５をさらに備えている。
【００９５】
このようにすれば、支持体４が低位置Ｐ１と高位置Ｐ２との間で移動するため、低位置Ｐ１及び高位置Ｐ２だけでなく、支持体４を低位置Ｐ１と高位置Ｐ２との間の任意の中間位置Ｐ３にも配置することができる。
【００９６】
なお、本発明は、上記各実施形態に限定されるものではなく、本発明の要旨を逸脱しない範囲で適宜変更を加え得ることは勿論である。
【００９７】
上記第一及び第二実施形態において、支持体４が低位置Ｐ１、中間位置Ｐ３、及び高位置Ｐ２に位置変更可能に構成されたが、これに限定されない。支持体４は、低位置Ｐ１及び高位置Ｐ２（二つの位置）で位置変更可能であってもよい。すなわち、支持体４は、少なくとも低位置Ｐ１及び高位置Ｐ２に位置変更可能であればよい。ただし、高位置Ｐ２は、遊技機ＰＭの外装体ＭＥや装飾体ＭＤによって遊技者Ｐの視界が遮られることなく、遊技者Ｐが支持体４に取り付けられた表示器１の表示面１００（モニタ１０）を視認できる位置であることは勿論である。
【００９８】
上記第一実施形態において、支持体４（表示器１）を支持する位置として、低位置Ｐ１と高位置Ｐ２との間に一つの中間位置Ｐ３が設定されたが、これに限定されない。例えば、支持体４（表示器１）を支持する位置として中間位置Ｐ３を設定する場合、中間位置Ｐ３は二つ以上設定されてもよい。
【００９９】
上記第一実施形態において、ベース体３の台座部３４が板状に形成され、この台座部３４の幅方向の全長に亘って溝状の係止部３０，３１，３２（低位置用係止部３０、中間位置用係止部３２、高位置用係止部３１）が形成されたが、これに限定されない。例えば、ベース体３は、図１６に示す如く、幅方向に間隔をあけて配置される一対の台座部３４を備えてもよい。この場合、図１７に示す如く、一対の台座部３４のそれぞれに、対応する切欠き状の係止部３０，３１，３２が形成されればよい。また、この場合において、第一実施形態と同様に、被係止部４０は、幅方向に延びる棒状に形成されるとともに、係止部３０，３１，３２は、幅方向から見て鉤状に形成されればよい。
【０１００】
そして、上記第一実施形態において、支持体４は、被係止部４０を係止させる係止部３０，３１，３２として、低位置用係止部３０、中間位置用係止部３２、及び高位置用係止部３１をそれぞれ一対ずつ備え、これらが異なる位置に配置にされたが、これに限定されない。例えば、図１７に示す如く、一対の低位置用係止部３０のうちの上方側にある一方の低位置用係止部３０と、一対の高位置用係止部３１のうちの下方側にある一方の高位置用係止部３１とを兼用させるようにしてもよい。
【０１０１】
また、図１７においては、一対の中間位置用係止部３２が低位置用係止部３０と高位置用係止部３１とに兼用する係止部３０，３１を挟んで配置されているが、一対の低位置用係止部３０のうちの上方側にある一方の低位置用係止部３０と、一対の中間位置用係止部３２のうちの下側にある中間位置用係止部３２とを兼用させてもよいし、一対の高位置用係止部３１のうちの下方側にある一方の高位置用係止部３１と、一対の中間位置用係止部３２のうちの上側にある中間位置用係止部３２とを兼用させてもよい。なお、上記のいずれの場合においても、異なる組（対）の係止部３０，３１，３２同士の間隔は同一に設定されることは勿論である。
【０１０２】
さらに、一対の中間位置用係止部３２が複数組設けられる場合には、異なる組の中間位置用係止部３２の一方同士を兼用させてもよい。
【０１０３】
そして、これらの場合においても、鉛直方向に延びる仮想線に対する一対の高位置用係止部３１を結ぶ仮想線の角度が、鉛直方向に延びる仮想線に対する一対の低位置用係止部３０を結ぶ仮想線の角度よりも大きくなるように、一対の高位置用係止部３１が配置されることで、図１８及び図１９に示す如く、高位置Ｐ２に配置された支持体４（表示器１）が低位置Ｐ１に配置された支持体４（表示器１）よりも前傾した姿勢になる。
【０１０４】
また、図１８乃至図２０に示す如く、鉛直方向に延びる仮想線に対する一対の高位置用係止部３１を結ぶ仮想線の角度が、鉛直方向に延びる仮想線に対する一対の中間位置用係止部３２を結ぶ仮想線の角度よりも大きく、且つ鉛直方向に延びる仮想線に対する一対の中間位置用係止部３２を結ぶ仮想線の角度が、鉛直方向に延びる仮想線に対する一対の低位置用係止部３０を結ぶ仮想線の角度よりも大きくなるように、高位置用係止部３１、中間位置用係止部３２、及び低位置用係止部３０を配置することで、支持体４が上方側に位置変更するにつれて前傾姿勢になる。これにより、支持体４に取り付けられた表示器１の配置が上方側に変更されても、周囲の光の影響が抑えられ、遊技者Ｐは表示器１の表示を良好に認識することができる。
【０１０５】
上記第一及び第二実施形態において、ベース体３は、高位置Ｐ２において、支持体４を低位置Ｐ１での姿勢よりも前傾した姿勢になるように支持したが、これに限定されるものではない。例えば、ベース体３は、低位置Ｐ１及び高位置Ｐ２の各位置（中間位置Ｐ３がある場合には中間位置Ｐ３も含む）において、支持体４を同じ姿勢で支持するようにしてもよい。
【０１０６】
具体的には、上記第一実施形態において、ベース体３の台座部３４が取付面Ｓ１に沿った仮想面に対する傾斜角度を異にする第一台座部３４０及び第二台座部３４１を含んだが、これに限定されない。例えば、図２１及び図２２に示す如く、台座部３４全体が上下方向を成分に含む方向に真っ直ぐ又は略真っ直ぐに延びるように形成されてもよい。すなわち、台座部３４は、第一実施形態における第一台座部３４０及び第二台座部３４１を直線的に接続した態様で形成されてもよい。
【０１０７】
この場合においても、図２３及び図２４に示す如く、第一実施形態と同様に、台座部３４に低位置用係止部３０及び高位置用係止部３１を設けることで、支持体４を高位置Ｐ２及び低位置Ｐ１に配置することができる。また、台座部３４に中間位置用係止部３２を設けることで、支持体４を中間位置Ｐ３に配置することもできる。
【０１０８】
上記第二実施形態において、案内手段６のガイドレール６０が直線部６００ａ及び円弧部６００ｂを含んだが、これに限定されない。例えば、図２５乃至図２７に示す如く、案内手段６のガイドレール６０が直線状に形成されてもよい。この場合において、支持体４は、ガイドレール６０の形態に即して直線状に移動し、姿勢を一定に維持させるため、支持体４に対して送り機構５のボールねじ５０のナット５０２を固定してもよい。また、この場合において、案内手段６の被案内体６１は、上記実施形態と同様にカムフォロア６１で構成されてもよいが、図２７に示す如く、ガイドレール６０の溝６００内に対して移動可能に嵌合するガイドシューであって、支持体４に固定されたガイドシューであってもよい。
【０１０９】
この場合においても、図２８及び図２９に示す如く、第二実施形態と同様に、駆動源５１の出力軸５１０を正逆転させることで、支持体４（表示器１）を低位置Ｐ１と高位置Ｐ２とに位置変更させることができる。また、支持体４（表示器１）を高位置Ｐ２と低位置Ｐ１との間にある任意の中間位置Ｐ３にも配置することができる。
【０１１０】
なお、遊技者Ｐは遊技機ＰＭの前方で着座している（遊技者Ｐの目の高さが略一定範囲で維持する）ため、支持体４の姿勢が低位置Ｐ１及び高位置Ｐ２で同じあると、表示器１の表示面１００（モニタ１０）に対する遊技者Ｐの視線Ｌの角度が、表示器１（支持体４）が低位置Ｐ１にある状態よりも高位置Ｐ２にある状態の方が小さくなる。従って、支持体４（表示器１）の姿勢を低位置Ｐ１及び高位置Ｐ２で同じにすると、高位置Ｐ２に配置した状態で、周囲の光の影響（反射）を受けて表示面１００（モニタ１０）に表示される情報が低位置Ｐ１に配置した状態よりも見えづらくなる。この点を考慮すれば、上記実施形態と同様に、ベース体３は、高位置Ｐ２において、支持体４を低位置Ｐ１での姿勢よりも前傾した姿勢になるように支持することが好ましい。
【０１１１】
上記第一及び第二実施形態において、支持体４を支持させる位置（低位置Ｐ１及び高位置Ｐ２）が上下方向を成分に含む方向（傾斜方向）に間隔をあけて設定されたが、これに限定されない。例えば、図３０に示す如く、支持体４を支持させる位置（低位置Ｐ１及び高位置Ｐ２）は、上下方向に間隔をあけて設定されてもよい。
【０１１２】
この態様において、ベース体３に係止部３０，３１が設けられるとともに、支持体４に被係止部４０が設けられる場合、ベース体３において、低位置Ｐ１に対応する低位置用係止部３０と高位置Ｐ２に対応する高位置用係止部３１とは上下方向に間隔をあけて配置されればよい。
【０１１３】
これに対し、送り機構５及び案内手段６が設けられる場合、案内手段６のガイドレール６０が真っ直ぐ上下方向に延び、支持体４が上下方向に案内されるようにすればよい。なお、ベース体３に係止部３０，３１が設けられるとともに、支持体４に被係止部４０が設けられる場合、低位置Ｐ１と高位置Ｐ２との間に複数の中間位置Ｐ３を設ける場合には、低位置用係止部３０と高位置用係止部３１との間に複数の中間位置用係止部３２が設けられればよい。この点、支持体４を支持させる位置（低位置Ｐ１、高位置Ｐ２、中間位置Ｐ３）の間隔をあける方向は、上下方向又は上下方向を成分に含む方向のいずれであってもよいことは勿論である。
【０１１４】
上記第二実施形態において、送り機構５が駆動源５１（上記第二実施形態においてはモータ５１）を備えたが、これに限定されない。例えば、図３１に示す如く、送り機構５は、支持体４を位置変更させるためのハンドル５４を備えてもよい。具体的には、送り機構５がボールねじ５０を含む場合、ねじ軸５００を回転させるためのハンドル５４を備えてもよい。このようにすれば、手動によって支持体４を低位置Ｐ１と高位置Ｐ２とに位置変更させることができる。
【０１１５】
上記第二実施形態において、支持体４が単一の軌道（ガイドレール６０）に沿って移動することで、低位置Ｐ１と高位置Ｐ２とに位置変更したが、これに限定されない。例えば、図３１に示す如く、支持体４は、同じ方向又は異なる方向に延びる二つ以上の軌道に沿って移動可能に構成され、各軌道で移動することで低位置Ｐ１と高位置Ｐ２とに位置変更できるようにしてもよい。この場合、軌道の数に応じた数の送り機構５が設けられればよい。
【０１１６】
上記第二実施形態において、送り機構５の駆動源５１は、スイッチ操作によって駆動するように構成されたが、これに限定されない。例えば、モータ５１は、遊技機ＰＭからの情報に基づいて駆動するようにしてもよい。すなわち、モータ５１は、遊技機ＰＭの演出の状態（動作する装飾体ＭＤの配置）に応じてねじ軸５００を正逆転させるようにしてもよい。また、送り機構５の駆動源５１は、遊技機ＰＭから得られる情報に基づいて駆動可能に構成されるとともに、スイッチ操作で駆動可能に構成されても勿論よい。
【０１１７】
上記第二実施形態において、ガイドレール６０が直線部６００ａと円弧部６００ｂとを含んだが、これに限定されない。例えば、ガイドレール６０が曲率半径の大きな円弧部６００ｂのみで構成されてもよい。このようにすれば、支持体４が低位置Ｐ１から高位置Ｐ２に向かうにつれて前傾姿勢になるため、支持体４が低位置Ｐ１と高位置Ｐ２との間の位置で支持された状態においても、表示器１の表示面１００が遊技者Ｐ側に向くようになり、周囲の光の影響を抑えて表示器１の表示が視認良好となる。
【０１１８】
上記各実施形態において、表示器１と支持体４とが別体とされ、表示器１（固定部１４）が支持体４の表示器取付部４１に取り付けられたが、これに限定されない。例えば、支持体４の表示器取付部４１に対して表示器１の固定部１４が分離不能に取り付けられ、表示器１と支持体４とが一体的に形成されていてもよい。すなわち、支持体４は、表示器１の固定部１４の一部として構成されてもよい。
【符号の説明】
【０１１９】
１…表示器、２…表示器用支持装置、３…ベース体、４…支持体、５…送り機構、６…案内手段、１０…モニタ、１１…呼出スイッチ、１２…データ切替スイッチ、１３…点灯表示部、１４…固定部、３０…低位置用係止部（係止部）、３１…高位置用係止部（係止部）、３２…中間位置用係止部（係止部）、３３…取付部、３４…台座部、４０…被係止部、４１…表示器取付部、４２…フレーム部、４３…突片部、５１…駆動源（モータ）、５２…軸受、５３…ピン、５４…ハンドル、６０…ガイドレール、６１…被案内体（カムフォロア）、１００…表示面、３００，３１０，３２０…第一空洞部、３０１，３１１，３２１…第二空洞部、３０２，３１２，３２２…第一開放部、３０３，３１３，３２３…第二開放部、３４０…第一台座部、３４１…第二台座部、５００…ねじ軸、５０１…ボール、５０２…ナット、５１０…出力軸、６００…溝、６００ａ…直線部、６００ｂ…円弧部、Ｌ…視線、ＭＤ…装飾体、ＭＥ…外装体、Ｐ…遊技者、Ｐ１…低位置、Ｐ２…高位置、Ｐ３…中間位置、ＰＭ…遊技機、Ｓ１…取付面、Ｓ２…固定面、Ｔ…取付対象
【図１】
2019083830.tif 000003
【図２】
2019083830.tif 000004
【図３】
2019083830.tif 000005
【図４】
2019083830.tif 000006
【図５】
2019083830.tif 000007
【図６】
2019083830.tif 000008
【図７】
2019083830.tif 000009
【図８】
2019083830.tif 000010
【図９】
2019083830.tif 000011
【図１０】
2019083830.tif 000012
【図１１】
2019083830.tif 000013
【図１２】
2019083830.tif 000014
【図１３】
2019083830.tif 000015
【図１４】
2019083830.tif 000016
【図１５】
2019083830.tif 000017
【図１６】
2019083830.tif 000018
【図１７】
2019083830.tif 000019
【図１８】
2019083830.tif 000020
【図１９】
2019083830.tif 000021
【図２０】
2019083830.tif 000022
【図２１】
2019083830.tif 000023
【図２２】
2019083830.tif 000024
【図２３】
2019083830.tif 000025
【図２４】
2019083830.tif 000026
【図２５】
2019083830.tif 000027
【図２６】
2019083830.tif 000028
【図２７】
2019083830.tif 000029
【図２８】
2019083830.tif 000030
【図２９】
2019083830.tif 000031
【図３０】
2019083830.tif 000032
【図３１】
2019083830.tif 000033
【図３２】
2019083830.tif 000034
【図３３】
2019083830.tif 000035
【図３４】
2019083830.tif 000036